(57)【要約】【課題】ブリスター陳列台紙を、台紙本体に合成樹脂製の透明なシートである商品カバーシートを組み付けた簡易な構造としながらも、立て置きできるようにして、立て置きにて一般消費者に対する視認性がより一層向上させる。【解決手段】開口部７を有する前面板４と後面板５とが重ね合わされている紙製の台紙本体２と、透明シートから成形されていて、開口部７から前方に膨出する商品収納用膨出部１１を有し、シート辺部１２の前面板４と後面板５との間への挟み込みで台紙本体２に取り付けられている商品カバーシート３とを備え、商品カバーシート３に、台紙本体２の下部に対応する下辺折り部１４から折り曲げられて後面板５に重ね合わされている延設シート１３を延設して、延設シート１３は、台紙本体２の後方に向けて凸となって台紙本体２を立て置きたときに台紙本体２を後傾状態に支持する脚部１５を有する。【選択図】図７
2018002272.tif 000002
【特許請求の範囲】
【請求項１】
開口部を有する前面板と後面板とが重ね合わされている紙製の台紙本体と、合成樹脂製の透明シートから成形されていて、前記開口部から台紙本体の前方に向けて膨出する商品収納用膨出部を有し、シート辺部の前記前面板と後面板との間への挟み込みにより台紙本体に取り付けられている商品カバーシートとを備え、
前記商品カバーシートには、該商品カバーシートにおける台紙本体の下部に対応する下辺折り部からこの台紙本体の背面側に折り曲げられて後面板に重ね合わされている延設シートが延設されていて、
前記延設シートは、台紙本体の後方に向けて凸となる膨出部分であって台紙本体を立て置きたときに台紙本体を後傾状態に支持する脚部を有していることを特徴とするブリスター陳列台紙。
【請求項２】
延設シートは、台紙本体の後面板に開口された係止孔に係止する係止部を備えていて、前記係止孔への係止部の係止により延設シートの台紙本体に対する重ね合わせが維持されている請求項１に記載のブリスター陳列台紙。
【請求項３】
後面板に、該後面板を分断可能な分断手段が後面板の縦方向に亘って設けられているとともに、前記分断手段に連続するつまみ片が切り込みにより設けられていて、前記つまみ片の切り込みにより成形された開口が上記係止孔とされて上記延設シートの係止部が係止し、係止孔とされた前記開口に係止した係止部がつまみ片を覆って、つまみ片のめくり起こしが不能とされている請求項２に記載のブリスター陳列台紙。
【請求項４】
商品カバーシートの上記商品収納用膨出部と延設シートの脚部とは、商品カバーシートと延設シートとを同一平面上で展開したときでの透明シートの同一片面側に位置している請求項１から３に記載のブリスター陳列台紙。
【発明の詳細な説明】
【技術分野】
【０００１】
本発明は立て置きできるブリスター陳列台紙に関するものである。
【背景技術】
【０００２】
従来から一般小売店舗などで小物商品を陳列販売するための用品の一種として、合成樹脂製の透明シートであって商品形状をかたどるなどして膨出した商品収納用膨出部を有する商品カバーシートとこの商品カバーシートを前面に貼り合わせる紙製の台紙本体とからなるブリスター陳列台紙が多く用いられている。
【０００３】
ブリスター陳列台紙は商品カバーシートに覆われる商品が台紙本体の前方に飛び出るような配置となることから、一般購入者からのアイキャッチ効果が高いという利点がある。
【０００４】
一方、一般的なブリスターパックと称されるブリスター陳列台紙では、台紙本体の片面に、商品を収納した状態で商品カバーシートの辺部四方を熱圧着などで固定するものであることから、立て置きすることができない。即ち、自立させるための脚となる部分を商品カバーシートにその成形時に設けようとすると、商品収納用膨出部の一部に逆テーパーとなる部分を成形しなければならず、その逆テーパーの成形は困難なものである。
【０００５】
ブリスター陳列台紙に自立性を与えるようにする試みとしては、特許文献１に示されているように、商品カバーシートの下端から商品収納用膨出部の下端位置までに亘る部分を台紙本体とともに後方に折り曲げて安定的に据え置きできる広がりのある底面を形成し、その折り曲げした後端部分を丸める工夫が示されている。
【０００６】
また、特許文献２においては、紙製の箱体の一側面に開口を設け、膨出部を有する商品カバーシートを箱体の内部に配置し、前記開口から外方に膨出部が凸となるように位置させており、箱体自体で自立性を有する構成が示されている。
【先行技術文献】
【特許文献】
【０００７】
【特許文献１】特開２００２−１０４５０４号公報
【特許文献２】特開２０１５−２０９２２０号公報
【発明の概要】
【発明が解決しようとする課題】
【０００８】
しかしながら上記特許文献１に示す自立性ブリスター包装体では、商品を内部に収納した商品カバーシートの周辺を台紙本体に熱圧着した後、商品カバーシートの下部を加熱変形させて後方への折り返し部分を形成する必要があり、商品を収納した包装体そのものの製造に手間を要するという問題がある。
【０００９】
また特許文献２に示された技術にあっては、箱体の上部から商品カバーシートを挿入するとともに、挿入した商品カバーシートを箱体のパネル部に押し付ける手段を箱体側で一部分を折り込み操作することとなっており、箱体の構造そのものが非常に複雑になっているという問題がある。
【００１０】
さらに一枚の透明な合成樹脂製シートから、商品受け用の凹部のある背面シート、座面部となる下面シート、商品を覆う前方に凸の膨出部のある前面シートとを一体に作製し、前面シートと背面シートとを重ね合わせてその間に商品を挟み込み保持し、下面シートにて自立性を付与するようにしたブリスタータイプの陳列容器も流通している。
【００１１】
しかし、この陳列容器では容器全体を合成樹脂製シートにて作製しているため、不要となった容器が多く廃棄されるようになると、自然への悪影響を及ぼさない処分が重要になってしまう。
【００１２】
さらに陳列台紙においても商品説明や商品名、商品使用方法などの情報を印刷にて表記することが一般的であるが、成形時に熱加工が加わる合成樹脂製シートに印刷にて情報を設けることができないことから、前面シートと背面シートとの間の限られた部分に、宣伝情報などを印刷した小さな用紙を挟み入れるだけにとどまっており、情報を印刷する面を広く確保できないという問題もある。
【００１３】
そこで本発明は上記事情に鑑み、ブリスター陳列台紙を、台紙本体に合成樹脂製の透明なシートである商品カバーシートを組み付けた簡易な構造としながらも、立て置きできるようにすることを課題とし、立て置きにて一般消費者に対する視認性がより一層向上させることを目的とするものである。
【課題を解決するための手段】
【００１４】
（請求項１の発明）
本発明は上記課題を考慮してなされたもので、開口部を有する前面板と後面板とが重ね合わされている紙製の台紙本体と、合成樹脂製の透明シートから成形されていて、前記開口部から台紙本体の前方に向けて膨出する商品収納用膨出部を有し、シート辺部の前記前面板と後面板との間への挟み込みにより台紙本体に取り付けられている商品カバーシートとを備え、
前記商品カバーシートには、該商品カバーシートにおける台紙本体の下部に対応する下辺折り部からこの台紙本体の背面側に折り曲げられて後面板に重ね合わされている延設シートが延設されていて、
前記延設シートは、台紙本体の後方に向けて凸となる膨出部分であって台紙本体を立て置きたときに台紙本体を後傾状態に支持する脚部を有していることを特徴とするブリスター陳列台紙を提供して、上記課題を解消するものである。
【００１５】
（請求項２の発明）
そして本発明において、延設シートは、台紙本体の後面板に開口された係止孔に係止する係止部を備えていて、前記係止孔への係止部の係止により延設シートの台紙本体に対する重ね合わせが維持されているものとすることが可能である。
【００１６】
（請求項３の発明）
また本発明において、後面板に、該後面板を分断可能な分断手段が後面板の縦方向に亘って設けられているとともに、前記分断手段に連続するつまみ片が切り込みにより設けられていて、前記つまみ片の切り込みにより成形された開口が上記係止孔とされて上記延設シートの係止部が係止し、係止孔とされた前記開口に係止した係止部がつまみ片を覆って、つまみ片のめくり起こしが不能とされていることが可能である。
【００１７】
（請求項４の発明）
また本発明において、商品カバーシートの上記商品収納用膨出部と延設シートの脚部とは、商品カバーシートと延設シートとを同一平面上で展開したときでの透明シートの同一片面側に位置していることが可能である。
【発明の効果】
【００１８】
（請求項１の発明の効果）
請求項１の発明によれば、熱圧着を行なうことなく台紙本体に商品カバーシートを取り付けることができ、ブリスター陳列台紙の作製に係るコストを削減できる。また合成樹脂製の透明シートである部分を少なくすることができるため、不要となった台紙を処分する際に透明シートの部分を焼却した場合でも環境に与える悪影響を少なくすることができる。
【００１９】
さらに商品カバーシートの下辺折り部に延設の延設シートが有する脚部で台紙本体を後傾状態で支持することができるので、商品カバーシートの商品収納用膨出部に収納した商品、そして台紙本体が一般消費者からより一層目に付き易くなり、購買意欲を想起させる上で有利である。
【００２０】
また台紙本体の後面板に、脚部を有する延設シートが重なるという極めて簡単な構造であるので、このブリスター陳列台紙を安価を安価なものとすることができる。
【００２１】
（請求項２の発明の効果）
請求項２の発明によれば、延設シートの台紙本体への重ね合わせに際して、接着剤塗布などの作業が不要となり、商品を収納したブリスター陳列容器を簡単に得ることができる。
【００２２】
（請求項３の発明の効果）
請求項３の発明によれば、延設シートの係止部を開口から抜き出ししない限りつまみ片のめくり起こしができないものとなり、つまみ片に連続する分断手段をいたずらで操作する行為を抑止することができる。
【００２３】
（請求項４の発明の効果）
請求項４の発明によれば、脚部の成形に際して逆テーパーとならず、延設シートを含む商品カバーシートの作成が頗る簡単になるという効果を奏する。
【図面の簡単な説明】
【００２４】
【図１】本発明に係る実施の形態を斜め前方から見た状態で示す説明図である。
【図２】実施の形態を斜め後方から見た状態で示す説明図である。
【図３】実施の形態を展開した状態で示すもので、（Ａ）は台紙本体を展開した状態で示す説明図、（Ｂ）は商品カバーシートを展開した状態で示す説明図である。
【図４】実施の形態の正面を示す説明図である。
【図５】後傾状態で立て置きした実施の形態を断面で示す説明図である。
【図６】実施の形態における商品カバーシートを示す説明図である。
【図７】延設シートの係止部がつまみ片を覆った状態を示す説明図である。
【発明を実施するための形態】
【００２５】
つぎに本発明を図１から図７に示す実施の形態に基づいて詳細に説明する。図中１はブリスター陳列台紙で、該ブリスター陳列台紙１は、図１に示すように板紙製の台紙本体２と、真空成形などの手法によって合成樹脂製の透明シートに加工を加えて成形した商品カバーシート３とが組み合わされているものである。
【００２６】
（台紙本体）
図３では台紙本体２を展開した状態で示している。図示されているように台紙本体２は前面板４の一方の側辺部を折り部として後面板５が連接されて、その後面板５が前面板４の背面側に折り重ねられている。また、前面板４の他方の側辺部を折り部として前面板４の背面側に折り重ねられている糊代６が連接されていて、前記後面板５が糊代６の外面側に貼り合わされており、台紙本体２は全体形状を前面板４と後面板５とが重なる略扁平な板状としている。
【００２７】
前面板４には、収納物ａを配置する箇所に対応する部分に開口部７が切り抜き形成されている。また後面板５は、ミシン目を穿設するなどして形成された切れ目線をこの後面板５の縦方向に亘って設けた分断手段８を有していて、この分断手段８で後面板５自体を幅方向に分断することにより、台紙本体２を開くことができるようにしている。商品カバーシート３は台紙本体２に接着剤を介して貼着固定されているものではなく、後面板５を分断して台紙本体２を前述のように開くことで、この台紙本体２と商品カバーシート３とを分けることができる。
【００２８】
（分断手段）
後面板５の分断手段８は、その後面板５の上辺部から上下方向での途中部までに切れ目線を平行な二条にして穿設して帯状とし、その途中部から下辺部に至る部分を一条の切れ目線を穿設してなるものである。そして前記途中部において、前記分断手段８の帯状部位に連続するつまみ片９が切り込みにより設けられていて、つまみ片９をつまみ上げながら引っ張ることで分断手段８が切れて後面板５が分断されるようにしている。つまみ片９自体はこのつまみ片９の切り込みによって形成される開口１０に対応しており、後述するようにこのつまみ片９は前記開口１０の位置で折り起こしされているものではない。（図２、図５参照）
【００２９】
（商品カバーシート）
商品カバーシート３は前面板４の開口部７から台紙本体２の前方に向けて膨出する商品収納用膨出部１１を有している。そして図６に示すように前記商品収納用膨出部１１の周りには平板状のシート辺部１２が位置しており、実施の形態にあっては商品収納用膨出部１１の上辺部側と下辺部側とのシート辺部１２と、さらに一方の側辺部側（前面板と後面板との間の折り部とは反対となる側辺部側）のシート辺部１２とが前面板４と後面板５との間に挟み込みされ、この挟み込みにより、接着手段を用いること無しに商品カバーシート３が台紙本体に取り付けられている。（図４、図５参照）
【００３０】
（延設シート）
本実施の形態においては、台紙本体２を後傾状態にしてブリスター陳列台紙１を安定的に立て置きできるようにした工夫を有していて、その工夫が台紙本体２の背面下部に構成されている。図５に示されているようにこの台紙本体２の後面板５の下部側には延設シート１３が重ね合わされているもので、上記商品カバーシート３には、該商品カバーシート３の台紙本体２の下部に対応する位置に下辺折り部１４があり、この下辺折り部１４からこの台紙本体２の背面側に折り曲げられて後面板５に重ね合わせている前記延設シート１３が延設されている。
【００３１】
図２に示すように延設シート１３は、台紙本体２の後方に向けて凸の膨出部分となる脚部１５を有していて、この脚部１５は、台紙本体２を立て置きたときにこの台紙本体２を後傾状態に支持するものである。延設シート１３は商品カバーシート３の上記下辺折り部１４を介して延設してなるもので、商品カバーシート３と延設シート１３とは一体であり、合成樹脂製の一枚の透明シートから商品カバーシート３と延設シート１３とを一体にした状態で成形されている。
【００３２】
そして商品カバーシート３と延設シート１３とを同一平面上で展開した形態、即ち、合成樹脂製の上記一枚の透明シートから真空成形などの手法により商品カバーシート３と延設シート１３とを一体で成形したときの形態では、図６に示すように上記商品収納用膨出部１１と脚部１５とが透明シートでの同一片面側に位置している。さらに脚部１５の断面形状は膨出した方向に向けて先細りするテーパー状である。商品収納用膨出部１１も膨出した方向に対して逆テーパーとなる箇所は無いものである。そのため、合成樹脂製の一枚の透明シートから商品カバーシート３と延設シート１３とを一体にした状態で成形するに際しては、真空成形などの従来手法を採用して安価に成形できる。
【００３３】
上記つまみ片９を切り込みすることによって得られる開口１０は、つぎに説明するように延設シート１３を後面板５に重ね合わせした状態に維持するための仕組みの一部である係止孔１６となっているものである。図３の商品カバーシート３と延設シート１３とが展開された状態でに示すように前記延設シート１３には先端を係止形状とする係止部１７を一体にして備えていて、後面板５でのつまみ片９の切り込みによりなる開口１０、即ち前記係止孔１６に係止部１７が係止し、延設シート１３の台紙本体２に対する重ね合わせが維持されている。
【００３４】
さらにつまみ片９を拡大して表している図７に示すように、開口１０からなる係止孔１６に係止する係止部１７は、開口１０に対応位置する上記つまみ片９を覆っていて、つまみ片９のめくり起こしを、係止孔１６から係止部１７を取り外さない限り、不能にしている。このように係止部１７がつまみ片９を覆った状態で係止孔１６に係止していることから、つまみ片９をつまみ持って分断手段８を切るといういたずらを抑止する上で効果的である。
【００３５】
なお、図において符号ｂは、糊代と後面板とを貼り合わせ、前面板と後面板とを貼り合わせる接着手段を指している。
【符号の説明】
【００３６】
１…ブリスター陳列台紙
２…台紙本体
３…商品カバーシート
４…前面板
５…後面板
７…開口部
８…分断手段
９…つまみ片
１０…開口
１１…商品収納用膨出部
１２…シート辺部
１３…延設シート
１４…下辺折り部
１５…脚部
１６…係止孔
１７…係止部
【図１】
2018002272.tif 000003
【図２】
2018002272.tif 000004
【図３】
2018002272.tif 000005
【図４】
2018002272.tif 000006
【図５】
2018002272.tif 000007
【図６】
2018002272.tif 000008
【図７】
2018002272.tif 000009